(57)【特許請求の範囲】
【請求項１】
放送波の各セグメント数に応じたＡＧＣ回路定数を備え、受信される放送波を設定されたＡＧＣ回路定数に基づいて利得制御するＡＧＣ回路と、
放送波の各セグメント数に応じたフィルタを備え、選択したフィルタに上記ＡＧＣ回路により利得制御された放送波を通過させる切替部と、
上記切替部を通過した放送波をＦＦＴ演算するＦＦＴ演算部と、
上記ＦＦＴ演算部による演算結果から上記受信した放送波の帯域幅を検出する帯域幅検出部と、
上記帯域幅検出部により検出された帯域幅に対応するセグメント数を判断し、そのセグメント数に応じて上記ＡＧＣ回路に使用されるＡＧＣ回路定数を設定するとともに上記切替部に選択すべきフィルタを設定する制御部とを備えたデジタル放送ＩＳＤＢ−Ｔの受信機。
【請求項２】
制御部は、複数のＡＧＣ回路定数及びフィルタのうち、初期設定を行う際は、最も広帯域のセグメント数に対応したＡＧＣ回路定数及びフィルタを設定し、上記初期設定後に設定を行う際は、帯域幅検出部により検出された帯域幅に対応するセグメント数に応じてＡＧＣ回路定数及びフィルタを設定変更することを特徴とする請求項１記載のデジタル放送ＩＳＤＢ−Ｔの受信機。
【発明の詳細な説明】
【０００１】
【発明の属する技術分野】
この発明は、帯域幅の異なる複数の放送方式に対応する受信機及びこの受信機の受信方法に関するものである。
【０００２】
【従来の技術】
図４は従来の受信機を示す構成図であり、図において、１は１セグメントの放送波を受信する１セグメント用の受信チューナ、２は３セグメントの放送波を受信する３セグメント用の受信チューナ、３は１３セグメントの放送波を受信する１３セグメント用の受信チューナ、４は受信チューナ１，２，３により受信された放送波を周波数分析して映像信号と音声信号を出力する信号処理部、５は映像を表示するＣＲＴ、６は音声を出力するスピーカである。
【０００３】
次に動作について説明する。
デジタル放送ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）には、帯域幅の異なる複数の放送方式がある。
例えば、図５に示すように、１セグメントの形式では約４３０ＫＨｚ、３セグメントの形式では約１．３ＭＨｚ、１３セグメントの形式では約５．６ＭＨｚの帯域幅になっている。
【０００４】
このように、帯域幅の異なる複数の放送波を１個の受信機で最適に受信を行うには、図４に示すように、各帯域幅毎に独立した受信チューナを複数個用意する必要がある。
例えば、１，３，５，７，９，１１，１３セグメントの放送波を受信する場合には、７個の受信チューナを適宜切り替えて使用する必要がある。
即ち、信号処理部４が受信チューナ１〜３の何れかを選択し、何れかの受信チューナにより受信された放送波を周波数分析して映像信号と音声信号を出力するようにする。
【０００５】
【発明が解決しようとする課題】
従来の受信機は以上のように構成されているので、帯域幅の異なる複数の放送波を受信するには、各帯域幅毎に受信チューナ１〜３を用意する必要があり、そのため、受信機が大型化してしまう課題があった。
【０００６】
この発明は上記のような課題を解決するためになされたもので、複数の受信チューナを用意することなく、帯域幅の異なる複数の放送波を受信することができる受信機を得ることを目的とする。
【０００７】
【課題を解決するための手段】
この発明に係る受信機は、放送波の各セグメント数に応じたＡＧＣ回路定数を備え、受信される放送波を設定されたＡＧＣ回路定数に基づいて利得制御するＡＧＣ回路と、放送波の各セグメント数に応じたフィルタを備え、選択したフィルタに上記ＡＧＣ回路により利得制御された放送波を通過させる切替部と、上記切替部を通過した放送波をＦＦＴ演算するＦＦＴ演算部と、上記ＦＦＴ演算部による演算結果から上記受信した放送波の帯域幅を検出する帯域幅検出部と、上記帯域幅検出部により検出された帯域幅に対応するセグメント数を判断し、そのセグメント数に応じて上記ＡＧＣ回路に使用されるＡＧＣ回路定数を設定するとともに上記切替部に選択すべきフィルタを設定する制御部とを備えたものである。
【０００８】
この発明に係る受信機は、制御部は、複数のＡＧＣ回路定数及びフィルタのうち、初期設定を行う際は、最も広帯域のセグメント数に対応したＡＧＣ回路定数及びフィルタを設定し、上記初期設定後に設定を行う際は、帯域幅検出部により検出された帯域幅に対応するセグメント数に応じてＡＧＣ回路定数及びフィルタを設定変更するものである。
【００１１】
【発明の実施の形態】
以下、この発明の実施の一形態を説明する。
実施の形態１．
図１はこの発明の実施の形態１による受信機を示す構成図であり、図において、１１は適応する受信帯域幅が相互に異なる複数のＡＧＣ回路定数（利得調整定数）及びＳＡＷフィルタを有するチューナ部、１２はアンテナ、１３は信号波のゲインを制御するＡＧＣ（Ａｕｔｏ  Ｇａｉｎ  Ｃｏｎｔｒｏｌ）回路、１４はミキサ、１５はＳＡＷ切替部、１６は１セグメント用のＳＡＷ（Ｓｕｒｆａｃｅ  Ａｃｏｕｓｔｉｃ  Ｗａｖｅ）フィルタ、１７は３セグメント用のＳＡＷフィルタ、１８は１３セグメント用のＳＡＷフィルタ、１９はミキサ、２０はミキサ１９の出力信号の信号レベルを検出するレベル検出器、２１はＡＧＣ切替部、２２は１セグメント用のＡＧＣ回路定数、２３は３セグメント用のＡＧＣ回路定数、２４は１３セグメント用のＡＧＣ回路定数である。
【００１２】
２５はチューナ部１１により受信された放送波を周波数分析して映像信号と音声信号を出力するとともに、その放送波の帯域幅を検出する信号処理部（帯域幅検出手段）、２６はＡ／Ｄ変換器、２７はＦＦＴ（Ｆａｓｔ  Ｆｏｕｒｉｅｒ  Ｔｒａｎｓｆｏｒｍ）演算を実行するＦＦＴ演算器、２８は映像信号と音声信号を出力する出力部、２９は放送波の帯域幅を検出する帯域幅検出部、３０は映像を表示するＣＲＴ、３１は音声を出力するスピーカである。
【００１３】
３２は信号処理部２５により検出された帯域幅に応じてチューナ部１１が使用するＡＧＣ回路定数及びＳＡＷフィルタを設定するマイコン部（設定手段）、３３は帯域幅とセグメント数の対応関係を記憶する記憶部、３４は記憶部３３に記憶されている対応関係を参照して、信号処理部２５により検出された帯域幅に対応するセグメント数を出力する比較部、３５は比較部３４から出力されたセグメント数の受信を指示する切替信号を出力する制御部である。
図２はこの発明の実施の形態１による受信機の受信方法を示すフローチャートである。
【００１４】
次に動作について説明する。
放送波を受信する場合、まず、マイコン部３２の制御部３５が最も広帯域なＡＧＣ回路定数及びＳＡＷフィルタを設定する。
即ち、制御部３５が１３セグメント用のＡＧＣ回路定数２４の使用を指示する切替信号をＡＧＣ切替部２１に出力し（ステップＳＴ１）、１３セグメント用のＳＡＷフィルタ１８の使用を指示する切替信号をＳＡＷ切替部１５に出力する（ステップＳＴ２）。
ただし、受信機が例えば５セグメントまでの帯域幅しか処理できないような場合には、放送波が１３セグメントであっても、５セグメント用のＡＧＣ回路定数とＳＡＷフィルタを設定する。
【００１５】
このように設定された後、チューナ部１１が放送波を受信すると（ステップＳＴ３）、信号処理部２５のＦＦＴ演算器２７がＦＦＴ演算を実行し（ステップＳＴ４）、帯域幅検出部２９がＦＦＴ演算結果を参照して、その放送波の帯域幅を検出する（ステップＳＴ５）。
【００１６】
マイコン部３２の比較部３４は、帯域幅検出部２９が放送波の帯域幅を検出すると、記憶部３３に記憶されている対応関係を参照して（図３を参照）、その放送波の帯域幅に対応するセグメント数を出力する（ステップＳＴ６）。
マイコン部３２の制御部３５は、比較部３４から出力されたセグメント数の受信を指示する切替信号を出力する。
例えば、比較部３４から出力されたセグメント数が３セグメントであれば、３セグメント用のＡＧＣ回路定数２３の使用を指示する切替信号をＡＧＣ切替部２１に出力し（ステップＳＴ７）、３セグメント用のＳＡＷフィルタ１７の使用を指示する切替信号をＳＡＷ切替部１５に出力する（ステップＳＴ８）。
【００１７】
このように設定変更されると、チューナ部１１のＡＧＣ回路定数とＳＡＷフィルタが受信対象の帯域幅に対して最適なものに切り替わるため、チューナ部１１の受信状態が最適化され、映像及び音声が最良な状態になる。
【００１８】
以上で明らかなように、この実施の形態１によれば、信号処理部２５により検出された帯域幅に応じてチューナ部１１が使用するＡＧＣ回路定数及びＳＡＷフィルタを設定するように構成したので、複数の受信チューナを用意することなく、帯域幅の異なる複数の放送波を受信することができるようになり、その結果、受信機の小型化を図ることができる効果を奏する。
【００１９】
【発明の効果】
以上のように、この発明によれば、放送波の各セグメント数に応じたＡＧＣ回路定数を備え、受信される放送波を設定されたＡＧＣ回路定数に基づいて利得制御するＡＧＣ回路と、放送波の各セグメント数に応じたフィルタを備え、選択したフィルタに上記ＡＧＣ回路により利得制御された放送波を通過させる切替部と、上記切替部を通過した放送波をＦＦＴ演算するＦＦＴ演算部と、上記ＦＦＴ演算部による演算結果から上記受信した放送波の帯域幅を検出する帯域幅検出部と、上記帯域幅検出部により検出された帯域幅に対応するセグメント数を判断し、そのセグメント数に応じて上記ＡＧＣ回路に使用されるＡＧＣ回路定数を設定するとともに上記切替部に選択すべきフィルタを設定する制御部とを備えたように構成したので、複数の受信チューナを用意することなく、帯域幅の異なる複数の放送波を受信することができるようになり、その結果、受信機の小型化を図ることができる効果がある。
【００２０】
この発明によれば、制御部は、複数のＡＧＣ回路定数及びフィルタのうち、初期設定を行う際は、最も広帯域のセグメント数に対応したＡＧＣ回路定数及びフィルタを設定し、上記初期設定後に設定を行う際は、帯域幅検出部により検出された帯域幅に対応するセグメント数に応じてＡＧＣ回路定数及びフィルタを設定変更するように構成したので、チューナ部の受信状態を簡単かつ確実に最適化することができる効果がある。
【図面の簡単な説明】
【図１】  この発明の実施の形態１による受信機を示す構成図である。
【図２】  この発明の実施の形態１による受信機の受信方法を示すフローチャートである。
【図３】  帯域幅とセグメントの対応関係を示す説明図である。
【図４】  従来の受信機を示す構成図である。
【図５】  ＩＳＤＢ−Ｔ信号波形を示す説明図である。
【符号の説明】
１１  チューナ部、１２  アンテナ、１３  ＡＧＣ回路、１４  ミキサ、１５  ＳＡＷ切替部、１６  ＳＡＷフィルタ、１７  ＳＡＷフィルタ、１８  ＳＡＷフィルタ、１９  ミキサ、２０  レベル検出器、２１  ＡＧＣ切替部、２２  ＡＧＣ回路定数、２３  ＡＧＣ回路定数、２４  ＡＧＣ回路定数、２５  信号処理部（帯域幅検出手段）、２６  Ａ／Ｄ変換器、２７  ＦＦＴ演算器、２８  出力部、２９  帯域幅検出部、３０  ＣＲＴ、３１  スピーカ、３２  マイコン部（設定手段）、３３  記憶部、３４  比較部、３５  制御部。
【図１】
0004240760.tif 000002
【図２】
0004240760.tif 000003
【図３】
0004240760.tif 000004
【図４】
0004240760.tif 000005
【図５】
0004240760.tif 000006